(57)【要約】【課題】簡単でコンパクトな構成を用いた、並列搬送される複数の記録体のサイズに応じて連結・解除可能なピックアップローラを備えた画像形成装置を提供する。【解決手段】本発明の複数の搬送路に並列して記録体を搬送可能な画像形成装置では、ピックアップローラを備えた軸は、互いに同軸に配置された、連結・解除可能な複数の軸部分からなり、当該軸の両端は２つの駆動ローラに連結し、記録体サイズに応じて位置を変更できる仕切りと当該仕切りの位置を検知するセンサーとが給紙トレイ底板に設けられ、センサーによる仕切りの位置の検知により記録体サイズが検知され、検知された記録体サイズに応じて、ピックアップローラを備えた軸部分を連結・解除する連結手段が軸部分の間に設けられ、記録体サイズに応じて記録体の搬送速度を調節する調節手段が、レジストローラの手前に設置される。【選択図】図３
2010006504.tif 000002
【特許請求の範囲】
【請求項１】
１つ又は複数のサイズの記録体を収容する給紙トレイと、給紙トレイから記録体を搬送する複数のピックアップローラと、当該ピックアップローラを具備し駆動ローラに連結した軸とを備えた、複数の搬送路に並列して記録体を搬送可能な画像形成装置において、
当該軸は、互いに同軸に配置された、連結・解除可能な複数の軸部分からなり、当該軸の両端は２つの駆動ローラに連結し、
記録体サイズに応じて位置を変更できる仕切りと当該仕切りの位置を検知するセンサーとが給紙トレイ底板に設けられ、センサーによる仕切りの位置の検知により記録体サイズが検知され、
検知された記録体サイズに応じて、ピックアップローラを備えた軸部分を連結・解除する連結手段が軸部分の間に設けられ、
記録体サイズに応じて記録体の搬送速度を調節する調節手段が、レジストローラの手前に設置されることを特徴とする画像形成装置。
【請求項２】
調節手段は中間ローラであり、
当該中間ローラは、記録体を搬送する複数の搬送ローラと、互いに同軸に配置され、連結・解除可能な複数の軸部分からなる当該搬送ローラを具備した軸と、該軸の両端に連結した２つの駆動ローラと、記録体サイズに応じて搬送ローラを備えた軸部分を連結・解除する連結手段と、を有することを特徴とする請求項１に記載の画像形成装置。
【請求項３】
前記軸は、２つのピックアップローラを備えた第１軸部分と、１つのピックアップローラを備えた第２軸部分と、１つのピックアップローラを備えた第３軸部分とを有し、
連結手段は、第１軸部分と第２軸部分の間に設置された第１連結手段と、第２軸部分と第３軸部分の間に設置された第２連結手段とを有することを特徴とする請求項１又は２に記載の画像形成装置。
【請求項４】
連結手段は、一方の軸部分及び他方の軸部分に固定された連結ベアリングと、連結ベアリングに固定されたスプリングと、連結ベアリングに固定された切り離しソレノイドとを有することを特徴とする請求項１〜３のいずれか一項に記載の画像形成装置。
【請求項５】
前記スプリングは、連結ベアリングとともに回転しないように、２つの連結ベアリングの間に固定されることを特徴とする請求項４に記載の画像形成装置。
【請求項６】
連結する軸部分の先端は互いに嵌合する凸部と凹部を有することを特徴とする請求項１〜５のいずれか一項に記載の画像形成装置。
【請求項７】
記録体を給紙トレイにセットする際、記録体サイズに応じて給紙トレイ底板の仕切りを変更した時に記録体サイズを自動検知し、記録体サイズに応じて、ピックアップローラの軸部分と中間ローラの軸部分の同じ部分が連結手段により連結されることを特徴とする請求項２〜６のいずれか一項に記載の画像形成装置。
【発明の詳細な説明】
【技術分野】
【０００１】
本発明は、並列搬送される複数の記録体に画像を形成する複写機やレーザプリンタ等の画像形成装置に関する。
【背景技術】
【０００２】
複写機を始めとする画像形成装置は、入力された画像データに基づいて信号光を走査することによって感光体ドラム上に画像を形成し、形成された画像を転写位置に移動させるとともに転写紙（以下、記録体という）を転写位置に搬送して、記録体上に画像を転写する構成及び制御になっている。画像形成装置が普及するに連れて、多くの記録体に短時間で画像形成するという高速処理に対する要請が生じ、特にデジタル複写機の分野では高速処理に対する要請が大きくなっている。高速処理化に応えるために、例えば感光体ドラムの回転や記録体の搬送動作を高速化するといった内部の機械的部分の高速化もなされているが、画像形成の精度やペーパハンドリングの面から限界がある。そこで複数枚の記録体を並列搬送し、これに画像を形成する並列搬送型の複写機が開発されている。この並列搬送では、一回の複写動作で２枚以上の記録体に複写できるので、複写処理速度を無理なく倍化することが可能となる。
【０００３】
特許文献１は、給紙トレイに複写機を並列にセットして並列搬送として使用する場合と大サイズの複写機をセット可能な通常の給紙トレイとして使用する場合とでその切り替えが容易で、セットされた複写紙の容量に関係なく円滑な並列搬送を実行できる装置を開示している。
【０００４】
特許文献２は、複数の搬送路に並列して搬送可能である画像形成装置において、各サイズの大きさに応じて並列搬送を可能にするために、サイズ毎に給紙トレイ底板の仕切りが変更可能な装置を開示している。
【０００５】
特許文献３は、記録体を並列搬送する場合に、２つの給紙コロを同じタイミングで動作させ、レジストローラにおいてレジストを合わせるようにして、複数の記録体の先端を合わせる手段を開示している。
【０００６】
【特許文献１】特開平１０−３２４４２９
【特許文献２】特開２００６−３１５８２５
【特許文献３】特開昭６１−１８９５７６
【発明の開示】
【発明が解決しようとする課題】
【０００７】
特許文献２では、各サイズの記録体を確実に並列搬送するために、回転軸方向に平行移動可能なピックアップローラが備えられている。しかし、各ピックアップローラ位置を各サイズの記録体の中央部分付近まで平行移動し給紙すると記載されているが、具体的な機構は示されていない。実際には各ピックアップローラ位置を各サイズの記録体の中央部分付近まで平行移動することは困難である。
【０００８】
そこで、本発明では、簡単でコンパクトな構成を用いた、並列搬送される複数の記録体のサイズに応じて連結・解除可能なピックアップローラを備えた画像形成装置を提供することを課題とする。
【課題を解決するための手段】
【０００９】
この課題は、１つ又は複数のサイズの記録体を収容する給紙トレイと、給紙トレイから記録体を搬送する複数のピックアップローラと、当該ピックアップローラを具備し駆動ローラに連結した軸とを備えた、複数の搬送路に並列して記録体を搬送可能な画像形成装置において、当該軸は、互いに同軸に配置された、連結・解除可能な複数の軸部分からなり、当該軸の両端は２つの駆動ローラに連結し、記録体サイズに応じて位置を変更できる仕切りと当該仕切りの位置を検知するセンサーとが給紙トレイ底板に設けられ、センサーによる仕切りの位置の検知により記録体サイズが検知され、検知された記録体サイズに応じて、ピックアップローラを備えた軸部分を連結・解除する連結手段が軸部分の間に設けられ、記録体サイズに応じて記録体の搬送速度を調節する調節手段が、レジストローラの手前に設置されることで解決される。
【００１０】
また、調節手段は中間ローラであり、当該中間ローラは、記録体を搬送する複数の搬送ローラと、互いに同軸に配置され、２つの駆動ローラで駆動する連結・解除可能な複数の軸部分からなる当該搬送ローラを具備した軸と、該軸の両端に連結した２つの駆動ローラと、記録体サイズに応じて搬送ローラを備えた軸部分を連結・解除する連結手段とを有すると好ましい。
【００１１】
また、前記軸は、２つのピックアップローラを備えた第１軸部分と、１つのピックアップローラを備えた第２軸部分と、１つのピックアップローラを備えた第３軸部分とを有し、連結手段は、第１軸部分と第２軸部分の間に設置された第１連結手段と、第２軸部分と第３軸部分の間に設置された第２連結手段とを有すると好ましい。
【００１２】
また、連結手段は、一方の軸部分及び他方の軸部分に固定された連結ベアリングと、連結ベアリングに固定されたスプリングと、連結ベアリングに固定された切り離しソレノイドとを有すると好ましい。
【００１３】
また、前記スプリングは、連結ベアリングとともに回転しないように、２つの連結ベアリングの間に固定されると好ましい。
【００１４】
また、連結する軸部分の先端は互いに嵌合する凸部と凹部を有すると好ましい。
【００１５】
また、記録体を給紙トレイにセットする際、記録体サイズに応じて給紙トレイ底板の仕切りを変更した時に記録体サイズを自動検知し、記録体サイズに応じて、ピックアップローラの軸部分と中間ローラの軸部分の同じ部分が連結手段により連結されると好ましい。
【発明の効果】
【００１６】
本発明によれば、検知された記録体サイズに応じて、ピックアップローラを備えた軸部分を連結・解除する連結手段が軸部分の間に設けられるので、切り分けられた一方の軸に設置されたピックアップローラと、他方の軸に設置されたピックアップローラは異なる駆動ローラにより回転するので、搬送すべき用紙のサイズに応じて駆動ローラの回転速度を変えることで異なるサイズの用紙の並列搬送時における用紙遅れを確実に補正することができる。また、記録体サイズに応じて記録体の搬送速度を調節する別個の調節手段がレジストローラの手前に設置されるので、異なるサイズの用紙の並列搬送時における用紙遅れをさらに補償することができる。
【００１７】
また、調節手段としての中間ローラがピックアップローラと同様に構成されることで、レジストローラの手前においても確実に異なるサイズの用紙の並列搬送時における用紙遅れを補正することができる。
【００１８】
また、軸は、２つのピックアップローラを備えた第１軸部分と、１つのピックアップローラを備えた第２軸部分と、１つのピックアップローラを備えた第３軸部分とを有し、連結手段は、第１軸部分と第２軸部分の間に設置された第１連結手段と、第２軸部分と第３軸部分の間に設置された第２連結手段とを有することで、用紙サイズに応じてコロ（ピックアップローラ）の数を４個に増やすことができ、用紙サイズに応じた搬送力を得ることができる。
【００１９】
また、連結手段は、一方の軸部分及び他方の軸部分に固定された連結ベアリングと、連結ベアリングに固定されたスプリングと、連結ベアリングに固定された切り離しソレノイドとを有することで、簡単かつ確実にコロの連結・解除を行うことができる。
【００２０】
また、スプリングは、連結ベアリングとともに回転しないように、２つの連結ベアリングの間に固定されることで、簡単かつ確実にコロの連結を行うことができる。
【００２１】
また、連結する軸部分の先端は互いに嵌合する凸部と凹部を有することで、確実にコロの連結・解除を行うことができる。
【００２２】
また、記録体サイズの自動検知後に、記録体サイズに応じてピックアップローラの軸部分及び中間ローラの軸部分が連結手段により同じ部分で連結・解除されることで、異なるサイズの用紙の並列搬送時における用紙遅れを確実に補正することができる。
【発明を実施するための最良の形態】
【００２３】
次に、図を参照して本発明による画像形成装置の実施例を詳細に説明する。
図１は、並列搬送可能な画像形成装置の全体の構成図を示す。本実施例の画像形成装置は、給紙トレイ１に積載された記録体が底板２によってピックアップローラ８まで上昇され、ピックアップローラ８で記録体を繰り出して搬送する。搬送された記録体は、中間ローラ２１を介して所定のタイミングで送り出すレジストローラ２２によって送り出された後、記録体を転写位置に搬送する記録体搬送体としての転写ベルト２３によって搬送される。転写位置でタンデムドラム２４上のトナー像が転写された後、定着ローラ２５まで搬送されてこの定着ローラ２５でトナー像が定着される。そして、定着された記録体は排紙ローラ２６を経て胴内に排紙される。
【００２４】
図２は給紙トレイ１の構成を示す斜視図である。給紙トレイ１は、サイドフェンス３とエンドフェンス５ａ，５ｂを有する底板２ａ，２ｂと、昇降手段として底板２ａ，２ｂを上昇させるための支持棒６ａ，６ｂに取り付けられた上昇板７ａ，７ｂとからなる。昇降制御としては、各々の底板２ａ，２ｂについて各々の上昇モータが制御する構成となっている。各々の上昇モータに連結した支持棒６ａ，６ｂとこれに固定された上昇板７ａ，７ｂが回転して、底板２ａ，２ｂが上昇する。底板２ａ，２ｂに各サイズの記録体を積載した時、各々の上昇モータによってピックアップローラ８ａ，８ｂ，８ｃ，８ｄまで各サイズの記録体を上昇させる。各々の上昇板７ａ，７ｂの異なる角度は、各々の上昇モータによって制御される。これにより、底板２ａ，２ｂは各々の積載した記録体の高さを制御でき、各サイズの記録体をそれぞれ独立したタイミングで繰り出すことができる。
【００２５】
ピックアップローラ８ａ，８ｂ，８ｃ，８ｄは、給紙モータ９ａ，９ｂの駆動力によって回転・給紙する。ここで、連結ベアリング１０ａ，１０ｂが接離可能であるため、ピックアップローラ８ａ，８ｂ，８ｃ，８ｄが記録体のサイズに応じて繋がったり、離れたりすることができる。
【００２６】
図３は、Ａ５，Ａ３サイズの記録体を収容する場合の給紙トレイ１の平面図である。図示のように、連結ベアリング１０ａは連結しているのに対し、連結ベアリング１０ｂは連結解除されている。これにより、Ａ３サイズの記録体を給紙するピックアップローラ８ａ，８ｂ，８ｃは給紙モータ９ａで駆動し、Ａ５サイズの記録体を給紙するピックアップローラ８ｄは給紙モータ９ｂにより別個に駆動される。通常、Ａ３サイズの記録体の場合、Ａ５サイズのものに比べると給紙トレイからの給紙の際スリップが大きく、Ａ５サイズより遅れを取ってしまうことがあるため、このような差が出ないように給紙モータ９ａ，９ｂの駆動タイミングは調節される。
【００２７】
図示されるように、ピックアップローラの軸は、ピックアップローラ８ａ，８ｂを備えた第１軸部分と、ピックアップローラ８ｃを備えた第２軸部分と、ピックアップローラ８ｄを備えた第３軸部分とからなる。また連結手段として、第１軸部分と第２軸部分の間に設置された第１連結手段と、第２軸部分と第３軸部分の間に設置された第２連結手段がある。従来と異なり、４つのピックアップローラを備え、記録紙サイズに応じてこれらのピックアップローラを連結・解除することで用紙サイズに応じた搬送力を得ることができる。
【００２８】
次に、図３を用いて、収容する記録体の大きさに合わせた第１底板２ａ、第２底板２ｂ及び第３底板２ｃの幅調整及びサイドフェンス部材３について詳しく説明する。
給紙トレイ１では、各底板は隣り合う底板と対向する幅方向端部にサイドフェンス３を備えている。具体的には、第１底板２ａは第３底板２ｃと対向する幅方向端部に第１サイドフェンス３ａ１，３ａ２を備えている。第２底板２ｂは、第３底板２ｃと対向する幅方向端部に第２サイドフェンス３ｂ１，３ｂ２を備えている。また、第３底板２ｃは第１底板２ａと対向する幅方向端部に第３サイドフェンス３ｃ１，３ｃ２を備え、第２底板２ｂと対向する幅方向端部に第４サイドフェンス３ｄ１，３ｄ２，３ｄ３を備えている。これらのサイドフェンス３は、底板と水平な状態になるように閉めて退避させ、底板と垂直な状態となるよう開くことで規制部材としてのサイドフェンスとしての機能を果たすことができる。
【００２９】
また、第３底板２ｃには第１底板２ａとの間を連結又は連結解除する２つの第１仕切りロック４ａ１、４ａ２を備えており、第２底板２ｂとの間を連結又は連結解除する２つの第２仕切りロック４ｂ１、４ｂ２を備えている。
【００３０】
例えば、Ａ２サイズを載置する場合は（図５参照）、第１仕切りロック４ａ１、４ａ２及び第２仕切りロック４ｂ１、４ｂ２の全ての仕切りロックを連結状態にする。そして、第１サイドフェンス３ａ１、３ａ２、第２サイドフェンス３ｂ１、３ｂ２、第３サイドフェンス３ｃ１、３ｃ２及び第４サイドフェンス３ｄ１、３ｄ２の全てを底板と水平な状態となるよう閉めることで退避する。さらに、第１エンドフェンス５ａ及び第２エンドフェンス５ｂはＡ２サイズの後端の位置に合わせる。そして、Ａ２サイズの給紙を行う際には第１底板２ａ、第２底板２ｂ及び第３底板２ｃを全て連結した状態で上昇させる。昇降制御としては、全て繋げた状態の底板を均一に上昇させるため、第１底板２ａ及び第２底板２ｂが同じ角度となるように第１上昇板７ａ及び第２上昇板７ｂの上昇角度を各々の上昇モータで調整して上昇させる。このとき、第３底板２ｃは、第１底板２ａ及び第２底板２ｂに連結されており、第１底板２ａ及び第２底板２ｂとともに上昇する。
【００３１】
本発明によれば、各サイズの記録体をセットした時に、エンドフェンスを検知することで記録体の縦幅を自動検知し、サイドフェンスを検知することで記録体の横幅を自動検知して、記録体サイズの自動検知が行われる。そして、自動検知後に、前述したピックアップローラ８ａ，８ｂ，８ｃ，８ｄの位置も連結ベアリング１０ａ，１０ｂが接離することにより切り分けられる。
例えば、図３の場合、各サイズの記録体をセットした時に自動的に載置した記録体のサイズがＡ３とＡ５であることを検知し、Ａ３の記録体のピックアップに必要なピックアップローラ８ａ，８ｂ，８ｃのために連結ベアリング１０ａは連結し、Ａ５の記録体のピックアップに必要なピックアップローラ８ｄのために連結ベアリング１０ｂは解除される。
【００３２】
なお、後述のように、本発明の中間ローラ２１はピックアップローラと同様に連結・解除される機構を有してもよく、この場合やはり記録体の自動検知と同時に切り分けられる。
【００３３】
図４は、Ａ４サイズ同士の記録体を収容する場合の給紙トレイ１の平面図である。ここでは、連結ベアリング１０ａは切り離し状態で、連結ベアリング１０ｂは連結状態となっている。これにより、ピックアップローラ８ａ，８ｂは給紙モータ９ａで駆動し、ピックアップローラ８ｃ，８ｄは給紙モータ９ｂで駆動することになる。
【００３４】
図５は、Ａ２サイズの記録体を収容する場合の給紙トレイ１の平面図である。ここでは、連結ベアリング１０ａは切り離し状態で、連結ベアリング１０ｂは連結状態となっている。ピックアップローラ８ａ，８ｂは給紙モータ９ａにより駆動し、ピックアップローラ８ｃ，８ｄは給紙モータ９ｂによる別駆動となるが、給紙モータ９ａ，９ｂの駆動タイミングは同期される。
【００３５】
図６は、連結ベアリング１０の連結・切り離し機構の連結時、図７は、切り離し時をそれぞれ示す。連結ベアリング１０は、ピックアップローラ８の軸に圧入され固定されている。連結の際は、連結スプリング１１によって連結ベアリング１０が押され、図６のようにピックアップローラ８の軸同士が連結する。切り離しの際は、切り離しソレノイド１２によって連結スプリング１１のばね力に抗して連結ベアリング１０が引き込まれ、図７のようにピックアップローラ８の軸が切り離される。
【００３６】
図８は、より詳細な連結ベアリング１０の１つの実施形態を示す。
一方の軸の先端は凸状に構成され、他方の軸の先端は凹状に構成されており、凹凸部が嵌合するようになっている。連結ベアリング１０の縁に固定された連結スプリング１１の収縮力によって軸が相互に移動し連結すると、駆動ローラの駆動力が伝達される（下図）。一方、連結ベアリング１０の縁に取り付けられた切り離しソレノイド１２によって、連結スプリング１１の収縮力に抗して連結ベアリング１０が引っ張られ軸同士の連結が解除されると、駆動力は遮断される（上図）。連結スプリング１１は、連結ベアリング１０が回転しても同時に回転しないように固定されている。
【００３７】
図９，１０は、中間ローラ２１における異なるサイズの記録体の通紙制御を示す。
記録体のサイズが大きい場合、小さいサイズと比べると給紙トレイからの給紙の際にスリップが大きく、小さいサイズより遅れを取ってしまうことがある。並列搬送時のこの差を埋めるために、レジストローラ２２の前に中間ローラ２１を設けることで、サイズ別に搬送速度を調節することができる。
【００３８】
このために、ピックアップローラ８の機構と同様に、各サイズに応じて、連結ベアリングによって連結・解除する機構を備えた中間ローラ２１が設けられる。中間ローラ２１は、搬送ローラ２１ａ，２１ｂ，２１ｃ，２１ｄを具備し、さらに連結ベアリング２１Ｘ，２１Ｙが設けられている。図示のように、連結ベアリング２１Ｘは連結し，連結ベアリング２１Ｙは解除されているので、大きいサイズの記録体は、駆動モータ（図示せず）で駆動される搬送ローラ２１ａ，２１ｂ，２１ｃにより搬送され、小さいサイズの記録体は、別個の駆動モータ（図示せず）で駆動される搬送ローラ２１ｄにより搬送される。このとき、大きいサイズの記録体側の中間ローラの回転速度は、小さいサイズの記録体より遅れを取らないように速められる。図９の様に、中間ローラ突入時に遅れを取っていた大きいサイズの記録体は、図１０の様に、中間ローラの速度差によりすぐに遅れを取り戻すことになる。
【００３９】
図１１，１２は、斜め送りされた用紙のレジスト部での突き当て補正の様子を示す。
連結ベアリングによって連結するピックアップローラ８及び中間ローラ２１の機構を備えてはいるが、その僅かなズレによって用紙が斜め送りされてしまう場合があるため、レジスト部で突き当て補正を行う必要がある。図１１の様に斜め送りされた用紙は、レジスト部に突き当てられることでスキューは補正され、図１２の様に用紙搬送方向に真っ直ぐに整列される。また、用紙先端画像ズレを防ぐために、並列搬送された用紙をレジスト部で突き当てた後、数ミリのたるみを作成して用紙先端を揃えた後に再並列搬送する。
【００４０】
次に、仕切りロックについて説明する。第１仕切りロック４ａ１、４ａ２と第２仕切りロック４ｂ１、４ｂ２とは、底板に装着される向きが異なるのみで、構造は同じであるので、以下仕切りロック４ａ１として説明する。図１３は第１仕切りロック４ａ１の拡大説明図である。図１３に示すように、第１底板２ａ及び第３底板２ｃには第１仕切りロック４ａ１が収まる形状の凹部を設けている。また、第１底板２ａ側の凹部にはロック回転軸によって第１仕切りロック４ａ１が取り付けられている。一方、第３底板２ｃ側の凹部には連結時に第１仕切りロック４ａ１を引っ掛けるロックピン１５が設けてある。第１仕切りロック４ａ１を矢印Ｂ方向に回転させ、図に示すように第１仕切りロック４ａ１がロックピン１５に引っ掛かった状態にして、第１底板２ａと第３底板２ｃとが連結された状態になる。この状態から、第１仕切りロック４ａ１を図中矢印Ｃ方向に回転させることで連結が解除された状態となる。このような仕切りロックを備えた構成により、記録体の大きさに応じて、複数の底板同士を連結したり、連結を解除したりすることができ、さまざまなサイズの記録体を支持することが可能となる。
【００４１】
また、ロックが上述の第１仕切りロック４ａ１、４ａ２だけの上面ロックであると、結合した第１底板２ａ及と第３底板２ｃとが外れてしまう場合がある。そこで、本実施形態の画像形成装置では、第１底板２ａ及と第３底板２ｃを挟んで第１仕切りロック４ａ１と対向する位置に、第１下面仕切りロック１７ａを設けて仕切りロック４ａ１とともにロックする。上面及び下面でしっかりとロックすれば結合した第１底板２ａと第３底板２ｃとが外れてしまうことは無くなる。また、第１仕切りロック４ａ２及び第２仕切りロック４ｂ１、４ｂ２に対向する位置にも同様に第１下面仕切りロック及び第２下面仕切りロックを設ける。このように、上面の仕切りロックと下面仕切りロックを用いることで、記録体の大きさに応じて、複数の底板同士を確実に連結することができる。
【００４２】
次に、サイドフェンスについて説明する。第１サイドフェンス３ａ１、３ａ２、第２サイドフェンス３ｂ１、３ｂ２、第３サイドフェンス３ｃ１、３ｃ２及び第４サイドフェンス３ｄ１、３ｄ２、３ｄ３は底板に装着される向きが異なるのみで、機構は同じであるので、以下第１サイドフェンス３ａ１として説明する。図１４は第１サイドフェンス３ａ１の拡大説明図である。図１４に示すように、第１底板２ａには第１サイドフェンス３ａ１が収まる形状の凹部を設けている。第１サイドフェンス３ａ１は図１４に示した状態が開いた状態であり、第１底板２ａ上に載置された第１記録体の束の幅方向端部を規制する。また、図１４の状態から矢印Ｄ方向に倒した状態が閉じた状態であり、第１底板２ａの幅よりも広い記録体を載置するために第３底板２ｃと連結する際に、第１サイドフェンス３ａ１を閉じることで記録体を載置可能となり載置面が形成される。また、本実施形態の画像形成装置は、第１サイドフェンス３ａ１を検知するためのサイドフェンス検知手段としてのサイドフェンスセンサ１３を備えている。サイドフェンスセンサ１３は、第１サイドフェンス３ａ１を閉じた時に第１サイドフェンスが閉じていると検知を行い、載置された記録体の横幅の自動検知を行う。
【００４３】
次に、エンドフェンスについて説明する。第１エンドフェンス５ａと第２エンドフェンス５ｂの機構は同じであるので、以下第１エンドフェンス５ａとして説明する。図１５は、第１エンドフェンス５ａの拡大図である。載置する記録体に応じて第１底板２ａに第１エンドフェンス５ａを差し込む。また、本実施形態の画像形成装置は、第１エンドフェンス５ａ１を検知するためのエンドフェンス検知手段としてのエンドフェンスセンサ１４を備えている。エンドフェンスセンサ１４は、第１エンドフェンス５ａを底板２ａに差し込んだ時にセンサーが検知し、各サイズの縦幅の自動検知を行う
【００４４】
このようなサイドフェンスセンサ１３及びエンドフェンスセンサ１４を設け、これらの検知結果に基づき自動的に載置した記録体のサイズを検知することができる。
【図面の簡単な説明】
【００４５】
【図１】並列搬送可能な画像形成装置の全体の構成図を示す。
【図２】給紙トレイ１の構成を示す斜視図である。
【図３】Ａ５，Ａ３サイズの記録体を収容する場合の給紙トレイ１の平面図である。
【図４】Ａ４サイズ同士の記録体を収容する場合の給紙トレイ１の平面図である。
【図５】Ａ２サイズの記録体を収容する場合の給紙トレイ１の平面図である。
【図６】連結ベアリング１０の連結・切り離し機構の連結時を示す。
【図７】連結ベアリング１０の切り離し時を示す。
【図８】連結ベアリング１０の１つの実施形態を示す。
【図９】中間ローラ２１における異なるサイズの通紙制御を示す。
【図１０】中間ローラ２１における異なるサイズの通紙制御を示す。
【図１１】斜め送りされた用紙のレジスト部での突き当て補正の様子を示す。
【図１２】斜め送りされた用紙のレジスト部での突き当て補正の様子を示す。
【図１３】第１仕切りロック４ａ１の拡大説明図である。
【図１４】第１サイドフェンス３ａ１の拡大説明図である。
【図１５】第１エンドフェンス５ａの拡大図である。
【符号の説明】
【００４６】
１  給紙トレイ
２ａ，２ｂ  底板
３  サイドフェンス
５  支持棒
５ａ，５ｂ  エンドフェンス
７ａ，７ｂ  上昇板
８ａ，８ｂ，８ｃ，８ｄ  ピックアップローラ
９ａ，９ｂ  給紙モータ
１０ａ，１０ｂ  連結ベアリング
１１  連結スプリング
１２  切り離しソレノイド
２１  中間ローラ
【図１】
2010006504.tif 000003
【図２】
2010006504.tif 000004
【図３】
2010006504.tif 000005
【図４】
2010006504.tif 000006
【図５】
2010006504.tif 000007
【図６】
2010006504.tif 000008
【図７】
2010006504.tif 000009
【図８】
2010006504.tif 000010
【図９】
2010006504.tif 000011
【図１０】
2010006504.tif 000012
【図１１】
2010006504.tif 000013
【図１２】
2010006504.tif 000014
【図１３】
2010006504.tif 000015
【図１４】
2010006504.tif 000016
【図１５】
2010006504.tif 000017